(57)【要約】      （修正有）【課題】大型化可能で、あらゆる方向に均質に張ることができ、シームレスかつ溶接部のない単一部品として構成させるパネルを提供する。【解決手段】支持体３に固定されたフレーム２にシートが張られた準平面パネルであって、フレーム２は、閉鎖フレームをなす保持形材２’から構成され、シートはフレームよりわずかに大きく、保持形材２’に係合する。また、シートは、熱収縮および伸張を発生するように局部的に加熱されている。【選択図】図１
0003179969.tif 000002
【実用新案登録請求の範囲】
【請求項１】
フレーム（２）に張られる準平面パネル（１）の製造方法であって、柔軟な熱可塑性の繊維材料からこのパネル（１）を製造する方法において、
−あらゆる方向に変形可能な編目を形成するニッティング方法により合成繊維の糸から前記柔軟な繊維材料の帯を製造し、
−重合状態で弾性を有する少なくとも一つのポリマーと被覆性のある着色剤とを含むコーティング混合物により、前記柔軟な繊維材料の少なくとも片面にコーティングを行い、
−前記コーティング混合物に含まれる前記ポリマーを重合し、
−前記柔軟な繊維材料から、前記フレーム（２）よりもやや寸法が大きい一枚のシートをカットし、
−閉鎖フレームをなす保持形材（２’）から構成される前記フレーム（２）を支持体（３）に固定し、
−前記保持形材（２’）に前記シートの周辺縁を係合し、
−前記柔軟な繊維材料を熱収縮させるために少なくとも一つのゾーンで前記シートを局部的に加熱することを特徴とする方法。
【請求項２】
前記保持形材（２’）からはみ出す前記シートの縁を、前記保持形材（２’）と同じ高さにカットすることを特徴とする請求項１に記載の製造方法。
【請求項３】
前記柔軟な繊維材料の主成分を構成する前記合成繊維の糸が、熱収縮性のポリエステル糸を含むことを特徴とする請求項１に記載の製造方法。
【請求項４】
前記コーティング混合物が、さらに、不燃性物質を含むことを特徴とする請求項１に記載の製造方法。
【請求項５】
前記コーティング混合物がペーストから構成され、前記柔軟な繊維材料の幅の少なくとも一部に少なくとも一つの円筒状物としてこのペーストを塗布し、ニッティング方法に従って製造される前記柔軟な繊維材料の前記編目にこのペーストを浸透させてから、前記コーティング混合物に含まれる前記ポリマーの前記重合を行うことを特徴とする請求項１に記載の製造方法。
【請求項６】
前記コーティング混合物に含まれる前記ポリマーが、ポリウレタンを含むことを特徴とする請求項５に記載の製造方法。
【請求項７】
前記被覆性のある着色剤が、さらに、酸化チタンを含むことを特徴とする請求項１に記載の製造方法。
【請求項８】
前記被覆性のある着色剤が、さらに、着色色素を含むことを特徴とする請求項１に記載の製造方法。
【請求項９】
前記被覆性のある着色剤が装飾要素を含み、この装飾要素が、鉱物および／または合成物質および／またはこれらの要素の混合物の、少なくとも粉末、薄片、顆粒、フィルムを含むグループから選択される少なくとも一つの形状を呈することを特徴とする請求項１に記載の製造方法。
【請求項１０】
前記シートの印刷を行うことを特徴とする請求項１に記載の製造方法。
【請求項１１】
デジタル印刷方法により前記印刷を行うことを特徴とする請求項１０に記載の製造方法。
【請求項１２】
２個の向かい合った締め付け歯を含む保持形材（２’）と共に前記フレーム（２）を形成することを特徴とする請求項１に記載の製造方法。
【請求項１３】
支持体（３）に固定されるフレーム（２）に張られる準平面パネル（１）であって、このフレーム（２）が、閉鎖フレームをなす保持形材（２’）から構成されるパネルにおいて、パネルが、前記フレーム（２）よりもわずかに大きい寸法の一枚のシートから構成され、このシートが、あらゆる方向に変形可能な編目を形成するように、ニッティング方法に従って合成繊維の糸から製造される繊維帯からカットされ、この繊維帯が、重合状態で弾性を有する少なくとも一つのポリマーと被覆性のある着色剤とを含むコーティング混合物により少なくとも片面をコーティングされ、前記混合物に含まれる前記ポリマーが重合され、前記シートの周辺縁が、前記フレーム（２）を構成する前記保持形材（２’）に係合され、前記シートが、熱収縮および伸張を発生するように局部的に加熱されることを特徴とするパネル（１）。
【請求項１４】
前記合成繊維の糸が、熱収縮性のポリエステル糸を含み、前記コーティング混合物の前記ポリマーが、ポリウレタンを含むことを特徴とする請求項１３に記載のパネル（１）。
【請求項１５】
前記コーティング混合物が、不燃性物質を含むことを特徴とする請求項１３に記載のパネル（１）。
【請求項１６】
前記被覆性のある着色剤が、酸化チタンを含むことを特徴とする請求項１３に記載のパネル（１）。
【請求項１７】
前記被覆性のある着色剤が、さらに、着色色素を含むことを特徴とする請求項１３に記載のパネル（１）。
【請求項１８】
前記被覆性のある着色剤が、さらに、装飾要素を含み、この装飾要素が、鉱物および／または合成物質および／またはこれらの要素の混合物の、少なくとも粉末、薄片、顆粒、フィルムを含むグループから選択される、少なくとも一つの形状を呈することを特徴とする請求項１３に記載のパネル（１）。
【請求項１９】
片面の少なくとも一部に少なくとも一つのデジタル印刷画像を含むことを特徴とする請求項１３に記載のパネル（１）。
【請求項２０】
前記印刷画像が、少なくとも一つの装飾画像、広告表現、図面、記載を含むグループから選択されることを特徴とする請求項１９に記載のパネル（１）。
【請求項２１】
少なくとも紫外線定着方法、分子のグラフト共重合を含むグループから選択される少なくとも一つの方法により得られる表面処理を含むことを特徴とする請求項１９に記載のパネル（１）。
【請求項２２】
前記表面処理が、少なくとも殺菌性、防虫性、帯電防止性、消毒性を含むグループから選択される特性を前記パネル（１）に与えるように構成されることを特徴とする請求項２１に記載のパネル（１）。
【考案の詳細な説明】
【技術分野】
【０００１】
本考案は、柔軟で熱収縮性の繊維材料から製造されてフレームに張られる準平面パネルの製造方法と、前記方法によって得られるパネルとに関する。
【背景技術】
【０００２】
建築分野では、特に疑似天井を製造するために、平面パネルの様々な製造方法が知られている。
【０００３】
第一の解決方法は、工場で溶接されて予め組み立てられるＰＶＣ布を用いて一枚のシートを形成することからなる。このシートは、その後、たとえば固定形材を使って形成されるフレームに、シートの縁に沿って引っ掛けられる。パネルを適切に張るには、シートの設置を専門家に委ねなければならず、設置には特別な設備を要する。
【０００４】
より容易に実施できる第二の解決方法は、不織シートを用いることからなる。この不織シートは塗装が可能であり、装飾パターンを含むことができる。不織シートは、取り付けが簡単で、頻繁に装飾を変えられるが、しわがついたり反ったりするあらゆる現象を回避するために引っ張ることがやはり必要である。こうしたシートの伸張は、一般に骨の折れる作業であり、シートのあらゆる方向に均質な張りを得ることができない。
【０００５】
公報ＦＲ−Ａ−２５５２４７３に特に記載された第三の解決方法は、熱延伸性の一枚のシートを用いることからなる。フレームに固定する前に、シートの温度を急上昇させてシートを延伸するのである。延伸状態で、シートは、保持形材からなるフレームに、シートの縁に沿って固定される。そこで、熱源を除去するので、シートは冷却しながら収縮し、フレームに張られる。このシートは、設置前に、延伸率と収縮率とを予測することによって、フレームの寸法に適合する寸法に正確にカットされなければならない。カット寸法が小さすぎると、このシートをフレームに引っ掛けるのに充分なだけ広げることができない。カット寸法が大きすぎると、切り屑が出るので、材料コストが高騰する。さらに、シートを延伸可能にし、固定後その全面で均質な張りを得るために、温度約５０〜６０℃で全体を同時に加熱しなければならない。こうした均質な温度上昇を行うには、シートを設置する部品全体をこの温度で加熱することが必要である。その結果、専門家でないスタッフが大型部品にこの方法を使うことは困難である。この方法の製造コストは高く、設置者にとって作業条件は難しい。しかも、こうした加熱により、部品内に存在する他の要素（家具、床のコーティングなど）が劣化するおそれがある。
【０００６】
公報ＦＲ−Ａ−２６１９５３１に特に記載された第四の解決方法は、フレームに引っ掛けられる熱収縮性の布を用いることからなり、布を張らないでフレームに固定してから、温度を急上昇させて布を収縮し、フレームに張られるようにする。この布は、たとえばＰＶＣで構成される。かくして、この方法は、簡単で、かつ専門家の介入の必要なしにパネルを構成できる。しかしながら、この方法は、あらゆる方向に均質にパネルを張れないので、最適な結果を得ることができない。
【０００７】
従って、どの解決方法も、提起された問題に対して満足のいく解決をもたらすことができない。
【考案の概要】
【課題を解決するための手段】
【０００８】
従って、本考案は、たとえ寸法が大きくてもあらゆる方向に均質に張られるパネルを適切な作業条件で環境への影響なしに簡単かつ経済的に得られるパネル製造方法を提案することにより、上記の不都合を解消することをめざす。本考案は、また、大型化可能で、あらゆる方向に均質に張ることができ、シームレスかつ溶接部のない単一部品として構成されるパネルを提案する。
【０００９】
このため、本考案は、序文に示した種類の準平面パネルの製造方法に関し、この方法は、
−あらゆる方向に変形可能な編目を形成するニッティング方法により合成繊維の糸から柔軟な繊維材料の帯を製造するステップと、
−重合状態で弾性を有する少なくとも一つのポリマーと被覆性のある着色剤とを含むコーティング混合物を用いて、柔軟な繊維材料の少なくとも片面にコーティングを行うステップと、
−コーティング混合物に含まれるポリマーを重合するステップと、
−柔軟な繊維材料シートからフレームよりもやや寸法が大きい一枚のシートをカットするステップと、
−閉鎖フレームをなす保持形材から構成されるフレームを、隔壁または天井に固定するステップと、
−前記保持形材にシートの周辺縁を係合するステップと、
−繊維材料を熱収縮させるために少なくとも一つのゾーンでシートを局部的に加熱するステップとを含むことを特徴とする。
【００１０】
好適には、保持形材からはみ出すシートの縁を前記保持形材と同じ高さにカットし、および／または、へらによって前記形材に余分を戻す。
【００１１】
有利な特徴によれば、柔軟な繊維材料の主成分を構成する前記合成繊維の糸が、熱収縮性のポリエステル糸を含む。
【００１２】
別の有利な特徴によれば、前記コーティング混合物が、さらに、不燃性物質を含む。
【００１３】
好適な実施形態によれば、コーティング混合物はペーストから構成され、柔軟な繊維材料の幅の少なくとも一部に少なくとも一つの円筒状物としてこのペーストを塗布し、繊維材料の編目にこのペーストを浸透させてから、コーティング混合物に含まれるポリマーを重合する。
【００１４】
コーティング混合物に含まれるポリマーが、好適には、ポリウレタンを含む。
【００１５】
有利には、被覆性のある着色剤が、さらに、酸化チタンおよび／または着色色素および／または装飾要素を含み、装飾要素が、鉱物および／または合成物質および／またはこれらの要素の混合物の、少なくとも粉末、薄片、顆粒、フィルムを含むグループから選択される、少なくとも一つの形状を呈する。
【００１６】
有利な実施形態によれば、デジタル印刷方法によりシートの印刷を行う。
【００１７】
好適には、２個の向かい合った締め付け歯を含む保持形材と共に前記フレームを形成する。
【００１８】
本考案は、また、支持体に固定されるフレームに張られる準平面パネルに関し、このフレームが、閉鎖フレームをなす保持形材から構成され、このパネルが、形成するフレームよりもわずかに大きい寸法の一枚のシートから構成され、このシートが、あらゆる方向に変形可能な編目を形成するように、ニッティング方法により合成繊維の糸から製造される繊維帯からカットされ、この繊維帯が、重合状態で弾性を有する少なくとも一つのポリマーと被覆性のある着色剤とを含むコーティング混合物により、少なくとも片面をコーティングされ、混合物に含まれるポリマーが重合され、前記シートの周辺縁が、フレームを構成する保持形材に係合され、シートを局部的に加熱して熱収縮および伸張を行った後で、保持形材からはみ出すシートの縁を保持形材と同じ高さにカットすることを特徴とする。
【００１９】
特に好適な実施形態によれば、パネルが、片面の少なくとも一部に、少なくとも一つの装飾画像、広告表現、図面、記載を含むグループからたとえば選択される少なくとも一つのデジタル印刷画像を含む。
【００２０】
別の実施形態によれば、パネルは、有利には、少なくとも紫外線定着方法、分子のグラフト共重合を含むグループから選択される少なくとも一つの方法により得られる表面処理を含む。
【００２１】
こうした表面処理は、好適には、少なくとも殺菌性、防虫性、帯電防止性、消毒性を含むグループから選択される特性をパネルに与えるように構成される。
【００２２】
本考案およびその長所は、本考案による方法によって得られるパネルを示す単一図面に関する実施例の以下の説明からいっそう明らかになるであろう。
【図面の簡単な説明】
【００２３】
【図１】本考案による方法によって得られるパネルを示す図である。
【考案を実施するための形態】
【００２４】
この単一図を参照すると、フレーム２に張られた準平面パネル１の製造方法は、後述する連続ステップを含む。
【００２５】
第一に、たとえばニッティング方法により合成繊維の糸から柔軟な繊維材料の帯を製造する。この柔軟な繊維材料は、あらゆる方向に変形可能な編目を含む。糸は、特に、熱収縮性のポリエステル繊維の糸か、他のあらゆる同等の繊維材料である。
【００２６】
第二に、重合状態で弾性のポリマーを含むコーティング混合物を帯の片面または両面にコーティングする。このポリマーは、たとえば、ポリウレタンまたは他のあらゆる同等材料を含む。ポリウレタンのコーティングは特に、繊維材料に滑らかで均質な美観を与える。コーティングされた柔軟な繊維材料は、防塵性で洗浄可能であり、市販されているあらゆる塗料による塗装またはプリントが可能であるという長所をさらに有する。
【００２７】
コーティング混合物は、製造されたパネル１を火炎から保護する耐火材から構成されることができ、このパネルを分類Ｍ１の不燃性に分類することができる。
【００２８】
コーティング混合物は、また、被覆性のある着色剤を含むことができ、所定の色のいっそう均質な外観を全面にもつパネル１が得られる。たとえば、酸化チタンをさらに含む着色剤を使用可能である。この着色剤は、また、着色色素および／または装飾要素を含んでもよい。装飾要素は、鉱物および／または合成物質および／または、これらの装飾要素の混合物の、少なくとも粉末、薄片、顆粒、フィルムなどである。
【００２９】
コーティング混合物は、たとえばペーストから構成され、ペーストは、柔軟な繊維材料の全幅と、この繊維材料の両面とに、たとえば円筒状物として塗布される。円筒状物は、たとえば一辺に１個とされる。柔軟な繊維材料の帯は、たとえばコイル状に形成され、堆積ノズルの下に長手方向に繰り広げられる。堆積ノズルは、たとえば、柔軟な繊維材料の全幅に円筒状物を堆積可能にする横方向の往復運動をするように駆動される。このペーストを、たとえば、帯の全面で堆積物をならすことを同様に可能にする２個のプレスローラの間で、柔軟な繊維材料の両側から編目の内部に浸透させる。帯の片面だけに円筒状物を１個だけ堆積するようにしてもよい。その場合、柔軟な繊維材料を通って、塗布されていない側から出るように、ペーストを浸透させて、柔軟な繊維材料の全面にペーストを分布できるようにする。また、ローラを使用する代わりに、あるいはローラの使用を補完するものとして、へらを使って、ペーストを適切に分布してもよい。柔軟な繊維材料の両面のコーティングは、１回の作業か、または柔軟な繊維材料の反転を挟んだ２回の連続作業で行うことができる。円筒状に堆積されるペーストは、たとえば柔軟な繊維材料への浸透を容易にする超音波加熱により液化可能である。
【００３０】
第三に、コーティング混合物で得られるポリマーを重合し、使用されるポリマーに固有の弾性、特に、熱収縮性を、柔軟な繊維材料に与える。このようにして、熱収縮性の柔軟な繊維材料が得られ、この材料を、たとえば、必要に応じて繰り広げられるローラ状にすることができる。こうした重合化ステップ中、好適には、たとえばピン付きチェーンにより柔軟な繊維材料の側面縁を保持し、柔軟な繊維材料が熱収縮性作用を受けすぎないようにする。
【００３１】
第四に、このように得られた柔軟な繊維材料から、パネル１を形成するためのシートをカットする。このシートは、寸法がフレーム２よりわずかに大きくなるようにカットされる。後述するように、カットを特別な精度で実施する必要はない。カット時には、もちろんシートの熱収縮性を予測する。限定的ではないが、このタイプの繊維材料の収縮率は、約５〜１０％である。
【００３２】
第五に、隔壁または天井をなす支持体３にフレーム２を固定する。フレーム２は、たとえば４個の保持形材２’から構成され、各形材が、たとえば２個の向かい合った締め付け歯（図示せず）を含む。これらの保持形材２’は、閉鎖フレームを形成するように配置される。保持形材２’は、また、２個の壁の間にパネル１を形成し、あるいは床に垂直に固定されるパネル１を形成するために、異なる支持体３に固定可能である。
【００３３】
第六に、保持形材２’の締め付け歯の間にシートの周辺縁を係合する。周辺縁に沿って引っ掛けられるシートは、フレーム２の設置時に予め張られている。
【００３４】
第七に、シートのしわのよっている場所や張りが足りないところを局部的に加熱して、柔軟な繊維材料を熱収縮させる。このため、たとえば可動キャリッジに取り付けた加熱管の加熱端を、張られるシートの所定のゾーンの正面でシートから約２０〜３０ｃｍ離して配置する。必要に応じて、加熱管を第二のゾーンの方に移動する。好適には、シートの全面を一掃するように、たとえば線と線の間でシフトされる直線状の軌道に沿って、加熱管を移動する。約２００℃に加熱される加熱管として構成される局部的な熱源の使用により、シートの各加熱ゾーンを迅速に収縮させることができ、室温に留まる部品全体を加熱する必要はない。かくして、パネル１を迅速かつ簡単に一続きで大型部品に張ることができ、部品内に存在する面または家具のコーティングを劣化させるおそれがない。従って、パネル１の設置ステップは、室温の環境で行われ、設置者にとって困難な作業条件を形成しない。
【００３５】
シートの寸法に応じて、保持形材２’からはみ出すシート縁を、この保持形材２’と同じ高さにカットすることができる。そのため、パネル１を囲むシートのいかなる部分も残らない。このステップにより、特別な精度でシートをカットする必要はなく、しかも、パネル１の適正な仕上げレベルが得られる。また、同様の結果を得るために、はみ出したシート縁を固定形材２’に挿入してもよい。こうしたカットおよび／または挿入は、熱収縮ステップの前または後に実施可能である。シートの固定前に、たとえばデジタル印刷方法により印刷を行うように構成することもできる。
【００３６】
このような方法により、フレーム２に張られて隔壁、天井３、広告パネルを形成する準平面パネル１を構成可能である。このパネル１の機械耐性は、たとえばＰＶＣからなる従来の表面被覆の機械耐性の１５倍である。パネル１は、さらに、その被覆面の様々な場所に、装飾パターンを形成する切込み４または照明スポットを内蔵するように構成された孔を含むことができる。
【００３７】
製造方法の途中で、使用されるコーティング混合物に装飾要素や色素を入れることによって、あるいは、パネル１の設置後、画像印刷、塗装、または他のあらゆる同等手段によって、パネル１の美観を容易に変えられる。パネル１は、また、リバーシブルとしてもよく、各面に異なる装飾を含むことができる。画像は、装飾画像、広告表示、図面、記載または他のあらゆるタイプの画像とすることが可能である。
【００３８】
特に有効な変形実施形態によれば、パネル１は、たとえば紫外線定着方法、分子のグラフト共重合、または他のあらゆる同等の方法により得られる表面処理を含む。表面処理は、殺菌性、防虫性、帯電防止性、消毒性または他のあらゆる同等の特性をパネル１に与えることができる。
【産業上の利用可能性】
【００３９】
もちろん、パネル１および、その製造方法は、たとえば、壁面装飾をしたり、疑似天井を張ったりする目的で、たとえば壁を被覆するあらゆるタイプのパネル１を構成するために使用可能である。こうした疑似天井の設置方法で使用される固定形材２’は、さまざまなタイプのものとすることが可能である。
【００４０】
以上の説明では、本考案が、簡単、迅速、経済的な実施を可能にしながら、定められたあらゆる目的に到達可能であり、特に、あらゆる方向にパネル１を均質に伸張可能であることを明らかにしている。本考案は、記載された実施例に制限されるものではなく、添付の請求項で定義された保護範囲に留まりながら、当業者にとって明らかなあらゆる修正および変形実施形態を含む。
【図１】
0003179969.tif 000003
【手続補正書】
【提出日】平成24年9月24日(2012.9.24)
【手続補正１】
【補正対象書類名】実用新案登録請求の範囲
【補正対象項目名】全文
【補正方法】変更
【補正の内容】
【実用新案登録請求の範囲】
【請求項１】
支持体（３）に固定されたフレーム（２）にシートが張られた準平面パネル（１）であって、
前記フレーム（２）は、閉鎖フレームをなす保持形材（２’）から構成されており、
前記シートは、前記フレーム（２）よりもわずかに大きい寸法の一枚のシートから構成され、前記シートは、あらゆる方向に変形可能な編目を形成するように、ニッティング方法に従って合成繊維の糸から製造される繊維帯からカットされたシートであり、
前記繊維帯は、重合状態で弾性を有する少なくとも一つのポリマーと被覆性のある着色剤とを含むコーティング混合物により少なくとも片面がコーティングされ、前記混合物に含まれる前記ポリマーが重合されたものであり、
前記シートは、周辺縁が、前記フレーム（２）を構成する前記保持形材（２’）に係合されており、前記シートは、熱収縮および伸張を発生するように局部的に加熱されたものであることを特徴とするパネル（１）。
【請求項２】
前記合成繊維の糸が、熱収縮性のポリエステル糸を含み、前記コーティング混合物の前記ポリマーが、ポリウレタンを含むことを特徴とする請求項１に記載のパネル（１）。
【請求項３】
前記コーティング混合物が、不燃性物質を含むことを特徴とする請求項１に記載のパネル（１）。
【請求項４】
前記被覆性のある着色剤が、酸化チタンを含むことを特徴とする請求項１に記載のパネル（１）。
【請求項５】
前記被覆性のある着色剤が、さらに、着色色素を含むことを特徴とする請求項１に記載のパネル（１）。
【請求項６】
前記被覆性のある着色剤が、さらに、装飾要素を含み、この装飾要素が、鉱物および／または合成物質および／またはこれらの要素の混合物の、少なくとも粉末、薄片、顆粒、フィルムを含むグループから選択される、少なくとも一つの形状を呈することを特徴とする請求項１に記載のパネル（１）。
【請求項７】
片面の少なくとも一部に少なくとも一つのデジタル印刷画像を含むことを特徴とする請求項１に記載のパネル（１）。
【請求項８】
前記印刷画像が、少なくとも一つの装飾画像、広告表現、図面、記載を含むグループから選択されることを特徴とする請求項７に記載のパネル（１）。
【請求項９】
少なくとも紫外線定着方法、分子のグラフト共重合を含むグループから選択される少なくとも一つの方法により得られる表面処理を含むことを特徴とする請求項７に記載のパネル（１）。
【請求項１０】
前記表面処理が、少なくとも殺菌性、防虫性、帯電防止性、消毒性を含むグループから選択される特性を前記パネル（１）に与えるように構成されることを特徴とする請求項９に記載のパネル（１）。